(57)【特許請求の範囲】
【請求項１】
入力映像信号から、水平同期信号および垂直同期信号を分離する同期分離回路、
同期分離回路によって得られた水平同期信号に同期したサンプリングクロックを発生するクロック発生回路、
入力映像信号をクロック発生回路によって得られたサンプリングクロックに基づいてサンプリングするＡ／Ｄ変換回路、
同期分離回路によって得られた水平同期信号の終了位置を検出する水平同期信号終了位置検出回路、
Ａ／Ｄ変換回路から出力される画像データを、３値同期信号検出用しきい値でスライスする第１スライス回路、
第１スライス回路の出力に基づいて、３値同期信号の有無を検出する３値同期信号検出回路、
第１スライス回路の出力に基づいて、３値同期信号のポジティブ期間の終了位置を検出する３値同期信号終了位置検出回路、
Ａ／Ｄ変換回路から出力される画像データを、データ・サービス信号検出用しきい値でスライスする第２スライス回路、ならびに
第２スライス回路の出力に基づいて、データ・サービス信号を検出するデータ・サービス信号検出回路を備えており、
データ・サービス信号検出回路は、水平同期信号終了位置検出回路によって水平同期信号終了位置が検出されたときからデータ・サービス信号の検出を開始するが、３値同期信号検出回路によって３値同期信号が検出されたときには、水平同期信号終了位置からそれまでに得られたデータ・サービス信号の検出結果を無効とし、３値同期信号終了位置検出回路によって３値同期信号のポジティブ期間の終了位置を検出された時点からデータ・サービス信号の検出を開始することを特徴とするデータ・サービス信号検出装置。
【請求項２】
データ・サービス信号検出回路は、
データ・サービス信号のリファレンス信号の幅を測定する回路、
データ・サービス信号のbit0がLow であることを検出する回路、
データ・サービス信号のbit1〜bit20 のデータを検出する回路、ならびに
検出されたデータ・サービス信号に対してCRC チェックを行い、誤りが検出されなかった場合にのみ、データ・サービス信号検出結果を更新し、誤りが検出された場合には、以前のデータ・サービス信号検出結果を保持する回路、
を備えている請求項１に記載のデータ・サービス信号検出装置。
【発明の詳細な説明】
【０００１】
【発明の属する技術分野】
この発明は、コンポーネント映像信号の垂直帰線期間内に挿入されているデータ・サービス信号を検出するデータ・サービス信号検出装置に関する。
【０００２】
【従来の技術】
ＢＳデジタル放送受信機、ＤＶＤプレーヤ等から出力されるコンポーネント映像信号の垂直帰線期間内には、映像信号のアスペクト比等を示すデータ・サービス信号が挿入されている。このようなデータ・サービス信号を検出する回路では、所定のしきい値を用いて、データ・サービス信号をデコードしている。
【０００３】
従来においては、上記しきい値レベルとして、３値同期信号のポジティブ期間を、データ・サービス信号として誤って検出しないように、３値同期信号のポジティブ期間の最大レベルより大きく設定している。
【０００４】
しかしながら、従来の検出方法では、入力映像信号の振幅レベルの変動や、信号の品位低下（オーバーシュート、アンダーシュート）等により、３値同期信号のポジティブ期間をデータ・サービス信号として誤って検出するといったことを、完全に防止することはできなかった。
【０００５】
【発明が解決しようとする課題】
この発明は、３値同期信号のポジティブ期間をデータ・サービス信号として誤って検出するといったことを防止でき、データ・サービス信号の検出を常に安定して行なうことができるデータ・サービス信号検出装置を提供することを目的とする。
【０００６】
【課題を解決するための手段】
この発明によるデータ・サービス信号検出装置は、入力映像信号から、水平同期信号および垂直同期信号を分離する同期分離回路、同期分離回路によって得られた水平同期信号に同期したサンプリングクロックを発生するクロック発生回路、入力映像信号をクロック発生回路によって得られたサンプリングクロックに基づいてサンプリングするＡ／Ｄ変換回路、同期分離回路によって得られた水平同期信号の終了位置を検出する水平同期信号終了位置検出回路、Ａ／Ｄ変換回路から出力される画像データを、３値同期信号検出用しきい値でスライスする第１スライス回路、第１スライス回路の出力に基づいて、３値同期信号の有無を検出する３値同期信号検出回路、第１スライス回路の出力に基づいて、３値同期信号のポジティブ期間の終了位置を検出する３値同期信号終了位置検出回路、Ａ／Ｄ変換回路から出力される画像データを、データ・サービス信号検出用しきい値でスライスする第２スライス回路、ならびに第２スライス回路の出力に基づいて、データ・サービス信号を検出するデータ・サービス信号検出回路を備えており、データ・サービス信号検出回路は、水平同期信号終了位置検出回路によって水平同期信号終了位置が検出されたときからデータ・サービス信号の検出を開始するが、３値同期信号検出回路によって３値同期信号が検出されたときには、水平同期信号終了位置からそれまでに得られたデータ・サービス信号の検出結果を無効とし、３値同期信号終了位置検出回路によって３値同期信号のポジティブ期間の終了位置を検出された時点からデータ・サービス信号の検出を開始することを特徴とする。
【０００７】
データ・サービス信号検出回路は、たとえば、データ・サービス信号のリファレンス信号の幅を測定する回路、データ・サービス信号のbit0がLow であることを検出する回路、データ・サービス信号のbit1〜bit20 のデータを検出する回路、ならびに検出されたデータ・サービス信号に対してCRC チェックを行い、誤りが検出されなかった場合にのみ、データ・サービス信号検出結果を更新し、誤りが検出された場合には、以前のデータ・サービス信号検出結果を保持する回路を備えているものが用いられる。
【０００８】
【発明の実施の形態】
以下、図面を参照して、この発明の実施の形態について説明する。
【０００９】
図１は、データ・サービス信号検出装置の構成を示している。
【００１０】
図２は、水平同期信号が２値同期信号である場合において、Ｙ信号の垂直帰線期間に挿入されたデータ・サービス信号を示している。
【００１１】
図３は、水平同期信号が３値同期信号である場合において、Ｙ信号の垂直帰線期間に挿入されたデータ・サービス信号を示している。
【００１２】
データ・サービス信号は、図２および図３に示すように、Ref 信号（リファレンス信号）と、これに続くbit1〜bit20 のbit 信号から構成されている。Ref 信号は、各bit 信号の幅を規定するものである。bit0の信号は常にLOW 、つまり、"0" である。bit1〜20の信号は、Low("0")またはHigh("1") のいずれかである。
【００１３】
同期分離回路１は、コンポーネント映像信号Ｙ，Ｕ，ＶのうちのＹ信号（輝度信号）から水平同期信号HSYNC と垂直同期信号VSYNC とを分離して出力する。図２および図３に示すように、水平同期信号が２値同期信号であっても、３値同期信号であっても、同期分離回路１によって得られる水平同期信号HSYNC の波形は変わらない。
【００１４】
ＰＬＬクロック発生回路２は、同期分離回路１から出力される水平同期信号HSYNC に基づいて、水平同期信号HSYNC に同期したサンプリングクロックCLOCK を発生する。
【００１５】
Ａ／Ｄ変換器３は、コンポーネント映像信号Ｙ，Ｕ，Ｖを、サンプリングクロックCLOCK を用いてサンプリングする。ここでは、説明の便宜上、Ｙ信号のみを示している。
【００１６】
Ａ／Ｄ変換器３によって得られたデジタルデータは、３値同期信号検出回路４に送られるとともにデータ・サービス信号検出回路５に送られる。
【００１７】
３値同期信号検出回路４は、スライス回路４１、３値同期信号検出部４２および３値同期ポジティブ期間終了検出部４３を備えている。３値同期信号検出回路４には、水平同期信号HSYNC 、垂直同期信号VSYNC およびサンプリングクロックCLOCK も入力している。
【００１８】
スライス回路４１は、水平同期信号HSYNC が入力すると、マイコン制御部６によって設定された第１しきい値を用いて、３値同期信号のポジティブ期間をスライスする。第１しきい値としては、３値同期信号をスライスできるレベルが設定される。
【００１９】
３値同期信号検出部４２は、スライス回路４１の出力に基づいて、同期信号が３値同期信号であるか否かを判定し、同期信号が３値同期信号である場合には、TRISYNC ＿DETECT信号をHighにする。
【００２０】
３値同期ポジティブ期間終了検出部４３は、３値同期信号検出部４２によって同期信号が３値同期信号であると判定された場合に、スライス回路４１の出力に基づいて３値同期信号の終了時点を検出してTRISYNC ＿END パルスを出力する。
【００２１】
データ・サービス信号検出回路５は、スライス回路５１、HSYNC 終了検出回路５２、Ref 信号幅検出回路５３、bit0検出回路５４、bit1〜20検出回路５５、CRC チェック回路５６およびデータ・サービス信号結果出力回路５７を備えている。
【００２２】
スライス回路５１は、水平同期信号HSYNC が入力すると、マイコン制御部６によって設定された第２しきい値を用いて、データ・サービス信号をスライスする。第２しきい値としては、データ・サービス信号をスライスできるレベルが設定される。通常は、第２しきい値の方が、第１しきい値より大きな値に設定される。
【００２３】
HSYNC 終了検出回路５２は、水平同期信号HSYNC の終了時点を検出してHSYNC ＿END パルスを出力する。Ref 信号幅検出回路５３は、スライス回路５１の出力に基づいて、データ・サービス信号のRef 信号幅を測定する。
【００２４】
Ref 信号幅検出回路５３は、HSYNC 終了検出回路５２からのHSYNC ＿END パルスが入力された後に、スライス回路５１の出力に基づくRef 信号幅測定を開始するが、３値同期信号検出部４２によって同期信号が３値同期信号であると判定された場合には、３値同期ポジティブ期間終了検出部４３からのTRISYNC ＿END パルスが入力されるまでの測定結果をキャンセルし（無効とし）、TRISYNC ＿END パルスが入力された後にスライス回路５１の出力に基づくRef 信号幅測定を開始する。
【００２５】
したがって、同期信号が２値同期信号である場合には、Ref 信号幅検出回路５３は、図２に示すように、HSYNC ＿END パルスが入力されたときから、スライス回路５１の出力に基づくRef 信号幅測定を開始する。言い換えれば、同期信号が２値同期信号である場合には、水平同期信号HSYNC の終了時点からデータ・サービス信号の検出が開始される。
【００２６】
同期信号が３値同期信号である場合には、Ref 信号幅検出回路５３は、図３に示すように、TRISYNC ＿END パルスが入力されたときから、スライス回路５１の出力に基づくRef 信号幅測定を実質的に開始することになる。言い換えれば、同期信号が３値同期信号である場合には、３値同期信号のポジティブ期間の終了始点から、データ・サービス信号の検出が開始される。したがって、３値同期信号のポジティブ期間をデータ・サービス信号として誤って検出するといったことが防止される。
【００２７】
Ref 信号幅検出回路５３によってRef 信号幅が検出されると、bit0検出回路５４は、スライス回路５１の出力に基づいて、Ref 信号幅の間隔を用いて、データ・サービス信号のbit0のデータ（low)を検出する。また、bit1〜20検出回路５５は、スライス回路５１の出力に基づいて、Ref 信号幅の間隔を用いて、データ・サービス信号のbit1〜bit20 のデータを検出する。
【００２８】
bit0検出回路５４およびbit1〜20検出回路５５によって検出されたデータ・サービス信号のbit0〜bit20 のデータは、CRC チェック回路５６に送られる。CRC チェック回路５６は、検出されたbit0〜bit20 のデータに基づいて、CRC チェックを行い、ビット誤りがなければ、bit0〜bit20 のデータをデータ・サービス信号結果出力回路５７に転送する。データ・サービス信号結果出力回路５７は、CRC チェック回路５６から転送されてきたbit0〜bit20 のデータをデータ・サービス信号として出力する。
【００２９】
なお、CRC チェック回路５６は、ビット誤りを検出した場合には、そのデータを採用せず、以前のデータ・サービス信号を保持する。
【００３０】
【発明の効果】
この発明によれば、３値同期信号のポジティブ期間をデータ・サービス信号として誤って検出するといったことを防止でき、データ・サービス信号の検出を常に安定して行なうことができるようになる。
【図面の簡単な説明】
【図１】データ・サービス信号検出装置の構成を示すブロック図である。
【図２】水平同期信号が２値同期信号である場合において、Ｙ信号の垂直帰線期間に挿入されたデータ・サービス信号を示すタイムチャートである。
【図３】水平同期信号が３値同期信号である場合において、Ｙ信号の垂直帰線期間に挿入されたデータ・サービス信号を示すタイムチャートである。
【符号の説明】
１  同期分離回路
２  ＰＬＬクロック発生回路
３  Ａ／Ｄ変換器
４  ３値同期信号検出回路
５  データ・サービス信号検出回路
【図１】
0003670985.tif 000002
【図２】
0003670985.tif 000003
【図３】
0003670985.tif 000004